(57)【要約】      （修正有）【課題】装飾パーツを容易に取付可能にすると共に装飾パーツを位置決め、確保し、多種多様な装飾パーツを容易に取付けられるネイルの装飾具を提供する。【解決手段】土台パーツ１は左・右はそれぞれ対称であり、その底面形状はその略中央部は係止用溝２を形成している。該係止用溝２は例えば上壁２ａの幅長Ｗが２．５ｍｍ、深さＳが１．２ｍｍ程度の側面から見た形状が略矩形であり、上壁２ａの両端から若干の斜面２ｂ、２ｂを形成し全体を裾広がりに形成している。また、該土台パーツ１の両外側面は垂直方向の略中央位置から裾方向に斜面２ｃ、２ｃを形成し脚部３を先き細り形状にしている。【選択図】図１
0003210022.tif 000002
【実用新案登録請求の範囲】
【請求項１】
底面に係止用溝を形成した土台パーツと、該土台パーツの係止用溝に差込・装着しかつ装飾パーツを固定した挿入用磁石棒とでなり、前記土台パーツの上方又は下方から前記挿入用磁石棒を差込・装着することを特徴とするネイルの装飾具。
【考案の詳細な説明】
【技術分野】
【０００１】
本考案は、土台パーツと、この土台パーツに上又は下方向から差込み固定される装飾パーツとで組合せてなるネイルの装飾具に関する。
【背景技術】
【０００２】
この種、従来の技術に於けるネイルのパーツとしては実用新案登録第３１９７８５３号登録実用新案公報に開示した技術がある。これについて説明すれば、従来の技術では爪側固定部材が、ナット状であり、ネイルパーツ本体のネイルパーツ側固定部が、ボルト状であり、ネイルパーツ側固定部が、爪側固定部材に螺嵌される構造であった。
【先行技術文献】
【特許文献】
【０００３】
【特許文献１】実用新案登録第３１９７８５３号登録実用新案公報
【考案の開示】
【考案が解決しようとする課題】
【０００４】
従来の技術は叙上した構成、作用であるので次の課題が存在した。
すなわち、従来の技術では、爪側固定部材とネイルパーツ側固定部がボルトねじで回転動作により両者を固定するので、固定方法が迅速ではなく、ボルトねじの製作工数が増大しネイルの装飾具全体が著しく大きくなるばかりか高価となり見栄えが悪くネイルの装飾具の流行に遅れることとなり、装飾パーツを交換する場合容易でないという問題点があった。
【課題を解決するための手段】
【０００５】
本考案はかかる問題点を解決するために考案したものである。すなわち、土台パーツと装飾パーツとで構成され、土台パーツの底面に係止用溝を形成し、この係止用溝に装飾パーツに固定された挿入用磁石棒を差込・装着して装飾パーツを取付可能にし、多種多様な装飾パーツを土台パーツに容易に取付けられるネイルの装飾具を提供することを目的としたものであって、次の構成・手段から成立する。
すなわち請求項１記載の考案によれば、底面に係止用溝を形成した土台パーツと、該土台パーツの係止用溝に差込・装着しかつ装飾パーツを固定した挿入用磁石棒とでなり、前記土台パーツの上方又は下方から前記挿入用磁石棒を差込・装着することを特徴とするネイルの装飾具である
【考案の効果】
【０００６】
本考案に係るネイルの装飾具は叙上の構成を有するので、次の効果がある。
すなわち、請求項１に記載の考案によれば、底面に係止用溝を形成した土台パーツと、該土台パーツの係止用溝に差込・装着しかつ装飾パーツを固定した挿入用磁石棒とでなり、前記土台パーツの上方又は下方から前記挿入用磁石棒を差込・装着することを特徴とするネイルの装飾具を提供する。
このような構成としたので、土台パーツと装飾パーツとで構成され、土台パーツの上方又は下方から装飾パーツを挿入用磁石棒で容易に取付可能にすると共に土台パーツの上面や上方、下方の種々の位置に装飾パーツを位置決め、確保し、多種多様な装飾パーツを土台パーツに単に差込み操作するのみで容易に取付けられるネイルの装飾具を提供できるという効果がある。
【図面の簡単な説明】
【０００７】
【図１】本考案に係るネイルの装飾具の土台パーツの側面図の一例を示す図である。
【図２】図１に示す土台パーツの底面図である。
【図３】本考案に係る装飾パーツを予め固定した挿入用磁石棒を示す斜視図の一例である。
【図４】人間の爪の上面に土台パーツを固定しかつ装飾パーツに固定された挿入用磁石棒を該土台パーツの下方から挿入し磁力で吸着させた状態を示す斜視図である。
【図５】本考案に係る土台パーツの他の一例を示す側面図である。
【図６】本考案に係る他の例を示す装飾パーツの上面に挿入用磁石棒を固定した状態を示す平面面図である。
【図７】図６に示す装飾パーツに於いて人間の爪に固定された土台パーツの上方から挿入用磁石棒を吸着して該装飾パーツの上面に土台パーツを配置した状態を示す平面図である。
【考案を実施するための形態】
【０００８】
以下、本考案の実施の形態について図面を参照しつつ説明する。
図１は本考案の実施の形態にかかるネイルの装飾具に備えた土台パーツ１の一例を示す側面図であって、左・右対称の形状を有している。例えば該土台パーツ１は磁力で吸着されるように鉄、その他の鋼材でなる金属製品で形成され、全体形状が図２に示すようにハート形状のデザインを施こしている。該土台パーツ１は後述する装飾パーツ５、５Ａ、５Ｂと同様に外部から視認されることがあり、単に装飾パーツ５、５Ａ、５Ｂを固定する手段のみではなく美的デザイン処理を施こす必要がある。従ってハート形状に限定せず消費者の好みに応じた各種の形状で構成される。例えば土台パーツ１は左・右はそれぞれ対称であり、その底面形状は図１、図２に示すようにその略中央部は係止用溝２を形成している。該係止用溝２は例えば上壁２ａの幅長Ｗが２．５ｍｍ、深さＳが１．２ｍｍ程度の側面から見た形状が略矩形であり、図１に示すものは上壁２ａの両端から若干の斜面２ｂ、２ｂを形成し全体を裾広がりに形成している。また、該土台パーツ１の両外側面は垂直方向の略中央位置から裾方向に斜面２ｃ、２ｃを形成し脚部３を先き細り形状にしている。
【０００９】
装着方法を概説すれば、先づ、図４に示す土台パーツ１の係止用溝２に図３に示す挿入用磁石棒４を挿入し、係止用溝２に吸着させる。そうすれば図４に示すように完成した形態となる。ここで挿入用磁石棒４は図３に示すように断面形状が前記係止用溝２と同形状の略矩形であって棒状体を成形している。そして前記係止用溝２の寸法より若干短く設定し該挿入用磁石棒４を前記係止用溝２に円滑に挿入する構成としている。
【００１０】
次に、本考案に係るネイルの装飾具を人間の爪に取付ける手順を説明する。図４に示すように先づ人間の指６の先端部分に配置する人間の爪７の表面に土台パーツ１を仮止めする。そのためには土台パーツ１の脚部３、３の底面３ａ、３ａに第１接着剤で塗布する。該第１接着剤はネイルグルーと称するもので例えばエチル２−シアノアクリレートの成分でなる接着剤であって、土台パーツ１を人間の爪７に仮止めするための好適な材料でなる。次に第２、第３接着剤を用意する。第２接着剤はアクリルリキッドと称し、例えばメタクリル酸エチル、ジメチル−Ｐ−トルイジンを成分としており、第３接着剤はアクリルパウダーと称し例えばエチルメタクレイトを成分とする材料である。そして、第２接着剤を塗布具、例えば毛筆等で染込ませたうえに第３接着剤を該塗布具に付着させて人間の爪７に仮止めされた土台パーツ１の周縁部分に塗布する。これにより人間の爪７の表面に土台パーツ１を強固に塗り固めて固定する。さらにエクストリームジェルと称するウレタンアクリル酸オリゴマー、メタクリル酸イソボルニル、トリメタクリル酸トリメチロールプロパン、ヒドロキシシクロヘキシルフェニルケトン、グンジョウを成分とするコーティング剤で該土台パーツ１を美的処理する。最後に例えばウルトラバイオレットレイライトすなわち紫外線灯で上述した人間の爪７の表面に固定された土台パーツ１を照射し、上述の接着剤等を加熱乾燥させ硬化する。
【００１１】
一方、図４に示すように挿入用磁石棒４の基端４ａには単一又は複数個の組合せでなる装飾パーツ５Ａ、５Ｂを予め固定し装着している。そこで、挿入用磁石棒４の先端４ｂを土台パーツ１の下方から矢印Ａの方向に係止用溝２に向けて挿入する。挿入操作が完了すれば磁力により挿入用磁石棒４は係止用溝２の内壁に吸着し、固定する。
【００１２】
前記装飾パーツ５、５Ａ、５Ｂは土台パーツ１と形状等が必ずしも同一でなくてもよく、図４に示すように例えば形状花びら５Ａや蝶形状５Ｂで構成してもよく、また装飾パーツ５の形状は需要者の好みに応じて種々の形状に設定する。
【００１３】
尚、上述した土台パーツ１は図１に示すものに限定されず、例えば図５に示す構造のものでも適用できる。即ち、土台パーツ１Ａの係止用溝２Ａは上壁２ａの両端から傾斜面を設けることなく垂直壁２ｄ、、２ｄに構成すると共に外壁面２ｅ、２ｅも同時に垂直壁に形成する。そして挿入用磁石棒４の断面形状もこの係止用溝２Ａに適合させる。
【実施例】
【００１４】
次に本考案に係るネイルの装飾具の実施例について説明する。
上述した実施の形態で示すネイルの装飾具は一例であって、図６、図７に示すものにも適用できる。すなわち、図６に示すように単一又は複数個の組合せでなる形状、例えば花びら状の装飾パーツ５Ｃの上面部に挿入用磁石棒４Ａを固定し装着している。そこで、挿入用磁石棒４Ａの先端４ｂを土台パーツ１Ａの上方から矢印Ｂの方向に係止用溝２に向けて挿入する。挿入操作が完了すれば磁力により挿入用磁石棒４Ａは係止用溝２の内壁に吸着し、固定する。
前記装飾パーツ５Ｃは土台パーツ１Ａと形状等が必ずしも同一でなくてもよく、図７に示すように例えば花びらで構成してもよく、また装飾パーツ５Ｃの形状は需要者の好みに応じて種々の形状に設定する。
図中１点鎖線で示す６は人間の指、７は人間の爪である。
【００１５】
尚、上記実施例に於いてネイルの装飾具の装着方法や人間の爪に取付ける手順については上述と同様であり、説明を省略する。
【産業上の利用可能性】
【００１６】
本考案に係るネイルの装飾具は、装飾パーツを土台パーツの上方又は下方から差込み該土台パーツに吸着固定することができ、両者の組合せを簡易迅速行いまた、装飾パーツのデザインを時代の流行に合せて取り替えることができその利用範囲は広いものである。
【符号の説明】
【００１７】
１        土台パーツ
１Ａ      土台パーツ
２        係止用溝
２Ａ      係止用溝
２ａ      上壁
２ｂ      斜面
２ｃ      斜面
２ｄ      斜面
２ｅ      外壁面
３        脚部
３ａ      底面
４        挿入用磁石棒
４Ａ      挿入用磁石棒
４ａ      基端
４ｂ      先端
５        装飾パーツ
５Ａ      装飾パーツ
５Ｂ      装飾パーツ
５Ｃ      装飾パーツ
６        人間の指
７        人間の爪
【図１】
0003210022.tif 000003
【図２】
0003210022.tif 000004
【図３】
0003210022.tif 000005
【図４】
0003210022.tif 000006
【図５】
0003210022.tif 000007
【図６】
0003210022.tif 000008
【図７】
0003210022.tif 000009